(57)【要約】【課題】既存の建物に設置された電気機器にも安価かつ容易に設置でき、制御装置に障害が生じても電気機器への電源供給の操作が行える電源制御装置、電源制御方法、電源制御プログラム、電源制御システムを提供することを目的とする。【解決手段】外部から入力される切替信号の入力に基づいて、スイッチ４００およびスイッチ４１０で構成される三路スイッチのうち、いずれか一方スイッチに備えられた切替接点４０２または切替操作４１２が切換制御部１２０によって切り替えられ、サーバ６００に備えられた切替信号出力部６２０が、照明器具３００を特定して切替信号を出力する。【選択図】図１
2018137938.tif 000002
【特許請求の範囲】
【請求項１】
共通接点と２つの切替接点とからなる２つの三路スイッチを含んで構成された回路に接続された電気機器への電源供給を制御する電源制御装置において、
切替信号の入力に基づいて前記三路スイッチのうち、いずれか一方の前記切替接点を切り替えるための切換制御部、
を備えることを特徴とする電源制御装置。
【請求項２】
前記回路の通電状況を取得するための通電状況取得手段、
を備えることを特徴とする請求項１記載の電源制御装置。
【請求項３】
前記通電状況取得手段は、
前記２つの三路スイッチの間の電圧または電流を監視して通電状況を取得することを特徴とする請求項２記載の電源制御装置。
【請求項４】
電源供給を制御される前記電気機器を特定するための機器識別情報、または前記電気機器が接続されたネットワークを識別するネットワーク識別情報とのうち少なくとも一方と、前記通電状況とを指定された送信先に通知するための通知手段、
を備えることを特徴とする請求項２記載の電源制御装置。
【請求項５】
前記機器識別情報は、
一意に割り当てられる物理アドレスであることを特徴とする請求項４記載の電源制御装置。
【請求項６】
前記ネットワーク識別情報は、
グローバルＩＰアドレスであることを特徴とする請求項４記載の電源制御装置。
【請求項７】
前記通知手段は、
記憶された特定の周期で通知するための周期記憶部を備えることを特徴とする請求項４記載の電源制御装置。
【請求項８】
前記通知手段は、
前記通電状況が変化したときに通電状況を通知することを特徴とする請求項４記載の電源制御装置。
【請求項９】
前記２つの三路スイッチのうち、少なくとも一方を含んでなることを特徴とする請求項１記載の電源制御装置。
【請求項１０】
共通接点と２つの切替接点とからなる２つの三路スイッチを含んで構成された回路に接続された電気機器への電源供給を制御する電源制御方法において、
切換制御部が、切替信号の入力に基づいて前記三路スイッチのうち、いずれか一方の切替接点を切り替える工程、
を備えることを特徴とする電源制御方法。
【請求項１１】
共通接点と２つの切替接点とからなる２つの三路スイッチを含んで構成された回路に接続された電気機器への電源供給を制御する電源制御プログラムにおいて、
コンピュータを、
切替信号の入力に基づいて前記三路スイッチのうち、いずれか一方の切替接点を切り替えるための切換制御部、
として機能させることを特徴とする電源制御プログラム。
【請求項１２】
共通接点と２つの切替接点とからなる２つの三路スイッチを含んで構成された回路に接続された電気機器への電源供給を制御する電源制御システムにおいて、
切替信号の入力に基づいて前記三路スイッチのうち、いずれか一方の切替接点を切り替えるための切換制御部、
を備える電源制御装置と、
前記電気機器を特定して前記切替信号を出力する切替信号出力部、
を備えることを特徴とする電源制御システム。
【発明の詳細な説明】
【技術分野】
【０００１】
本発明は、電源制御装置、電源制御方法、電源制御プログラム、および電源制御システムに関し、特に電機機器への電源供給を制御する電源制御装置に関する。
【背景技術】
【０００２】
従来から、電気はわれわれの生活に欠かせないライフラインのひとつとされている。この電気で動作する電気機器を生活に導入することで、家事の省力化や娯楽など電気機器はわれわれに快適な生活を与えてくれている。
【０００３】
一方で、我が国のエネルギー事情は、東日本大震災以降大きく変化している。例えば原子力発電の停止による電力供給力の低下で、各地で節電要請が行われた。また火力発電の発電量増加により、発電コストの増加や二酸化炭素の排出量が増加してしまった。そこで太陽光や水力、風力などの再生可能エネルギーを増やすことが考えられたが、これらは天候に左右されやすいために電力の供給が不安定であった。
【０００４】
そこで、われわれは家庭に電源制御装置を導入し、待機電力や不必要な電気機器への電力供給を制御することで無駄な電力を低減させ、限られた電力を有効的に利用することが必要となってきている（たとえば、特許文献１参照）。
【０００５】
図１２は、従来の電源制御装置を利用したホームネットワークシステムを示す図である。
図１２に示すように、ホームネットワークシステム１０は、中央制御装置１１、フロアコントローラ１２、および電源コントローラ１３を備えている。
【０００６】
中央制御装置１１は、フロアに設置される複数の電気機器の動作を制御するためのコンピュータ等であり、フロアごとに設置されるフロアコントローラ１２に通信線１を介して接続されている。
【０００７】
またフロアコントローラ１２は、通信線１を介して電源コントローラ１３に接続され、電源コントローラ１３は通信線１を介してフロアに設置される複数の電気機器である電動ブラインド２１、照明２２、およびエアコン２３に接続されている。
【０００８】
また中央制御装置１１、フロアコントローラ１２、電源コントローラ１３、電動ブラインド２１、照明２２、およびエアコン２３には、電源３０より供給された電源が分電盤３１を介して供給されている。
【０００９】
そして、電源コントローラ１３は中央制御装置１１から通信線１を介して入力される指令信号に基づいて、電動ブラインド２１、照明２２、およびエアコン２３への電源供給を制御すると共に、電動ブラインド２１、照明２２、およびエアコン２３の動作を制御する。
【先行技術文献】
【特許文献】
【００１０】
【特許文献１】特開２０１１−９１９５９号公報
【発明の概要】
【発明が解決しようとする課題】
【００１１】
しかし、上記のようなホームネットワークシステム１０の場合、ホームネットワークシステム１０に障害が発生し、ホームネットワークシステム１０の一部が停止してしまうと、接続された電気機器全体が利用できなくなってしまう問題があった。
【００１２】
具体的には、フロアに設置された複数の電気機器は通信線１を介して中央制御装置１１、フロアコントローラ１２、および電源コントローラ１３に接続されており、このシステムで接続された電気機器の動作や制御を行っているため、システムの一部にでも障害が起きると、接続された電気機器が利用できなくなってしまっていた。これは中央でシステムに接続された電気機器の動作や制御を一括管理できる便利さの反面、そのシステムが壊れると接続された電気機器がすべて使えなくなるデメリットであった。
【００１３】
またこれらのシステムは、ホームネットワークシステム１０と各電気機器とを通信線１を介して接続する必要があるため、既存の建物に設置するには、通信線１を配線する作業が必要となるため、導入コストが高額になってしまう問題があった。
【００１４】
本発明はこのような点に鑑みてなされたものであり、既存の建物に設置された電気機器にも安価かつ容易に設置でき、制御装置に障害が生じても電気機器への電源供給の操作が行える遠隔操作可能な電源制御装置、電源制御方法、および電源制御プログラムを提供することを目的とする。
【課題を解決するための手段】
【００１５】
本発明では上記問題を解決するために、共通接点と２つの切替接点とからなる２つの三路スイッチを含んで構成された回路に接続された電気機器への電源供給を制御する電源制御装置において、切替信号の入力に基づいて前記三路スイッチのうち、いずれか一方の切替接点を切り替えるための切換制御部を備えることを特徴とする電源制御装置が提供される。
これにより、切換制御部が、切替信号の入力に基づいて前記三路スイッチのうち、いずれか一方の切替接点を切り替える。
【００１６】
また、本発明では、共通接点と２つの切替接点とからなる２つの三路スイッチを含んで構成された回路に接続された電気機器への電源供給を制御する電源制御方法において、切換制御部が、切替信号の入力に基づいて前記三路スイッチのうち、いずれか一方の切替接点を切り替える工程を備えることを特徴とする電源制御方法が提供される。
これにより、切換制御部が、切替信号の入力に基づいて前記三路スイッチのうち、いずれか一方の切替接点を切り替える。
【００１７】
また、本発明では、共通接点と２つの切替接点とからなる２つの三路スイッチを含んで構成された回路に接続された電気機器への電源供給を制御する電源制御プログラムにおいて、コンピュータを、切替信号の入力に基づいて前記三路スイッチのうち、いずれか一方の切替接点を切り替えるための切換制御部として機能させることを特徴とする電源制御プログラムが提供される。
これにより、切換制御部が、切替信号の入力に基づいて前記三路スイッチのうち、いずれか一方の切替接点を切り替える。
【００１８】
また、本発明では、共通接点と２つの切替接点とからなる２つの三路スイッチを含んで構成された回路に接続された電気機器への電源供給を制御する電源制御システムにおいて、切替信号の入力に基づいて前記三路スイッチのうち、いずれか一方の切替接点を切り替えるための切換制御部を備える電源制御装置と、前記電気機器を特定して前記切替信号を出力する切替信号出力部を備えることを特徴とする電源制御システムが提供される。
【００１９】
これにより、切換制御部が、切替信号の入力に基づいて前記三路スイッチのうち、いずれか一方の切替接点を切り替えられ、切替信号出力部が、電気機器を特定して切替信号を出力する。
【発明の効果】
【００２０】
本発明の電源制御装置、電源制御方法、電源制御プログラム、電源制御システムによれば、切換制御部が、切替信号の入力に基づいて前記三路スイッチのうち、いずれか一方の切替接点を切り替えるので、既存の建物に設置された電気機器にも安価かつ容易に設置でき、制御装置に障害が生じても電気機器への電源供給の操作が行える。
【図面の簡単な説明】
【００２１】
【図１】第１の実施の形態に係る電源制御装置が電源および照明器具に接続された状態を示す図である。
【図２】スイッチ制御部とスイッチとで構成された三路スイッチの状態を示す図である。
【図３】通知部の詳細を示す図である。
【図４】電源制御装置を利用したシステム全体を示す図である。
【図５】サーバに蓄積された利用状況データの構造例を示す図である。
【図６】サーバの詳細を示す図である。
【図７】通電確認部が行う処理を示すフローチャートである。
【図８】通知部１１０が行う処理を示すフローチャートである。
【図９】切替信号出力部６２０が行う処理を示すフローチャートである。
【図１０】第２の実施例に係る電源制御装置が電源および照明器具に接続された状態を示す図である。
【図１１】第３の実施例に係る電源制御装置が電源および照明器具に接続された状態を示す図である。
【図１２】従来の電源制御装置を利用したホームネットワークシステムを示す図である。
【発明を実施するための形態】
【００２２】
以下、本発明の実施の形態を図面を参照して詳細に説明する。
〔第１の実施の形態〕
図１は、第１の実施の形態に係る電源制御装置が電源および照明器具に接続された状態を示す図である。
【００２３】
図１に示すように、電源制御装置１００は住居等に設置される電気機器の電源制御を行うためのものであり、電源２００から電力線２１０を介して供給される電力で点灯する照明器具３００と、電源２００から電力線２１０を介して接続され、照明器具３００の点灯および消灯を操作するスイッチ４００と、の間に電源制御装置１００は電力線２１０を介して接続され、電源制御装置１００はスイッチ４００と共に照明器具３００への電源を制御するためのものである。
【００２４】
電源制御装置１００は、通知部１１０、スイッチ制御部１２０、および通電確認部１３０を備えている。
通知部１１０は、例えば外出先のユーザに電源制御装置１００に接続された照明器具３００の利用状況である照明器具３００の点灯または消灯などの情報を通知するためのものであり、インターネット５００に通信線５１０を介して接続されている。
【００２５】
スイッチ制御部１２０は、共通接点１２１および２つの切替接点１２２を備え、共通接点４０１および２つの切替接点４０２を備えたスイッチ４００とともに三路スイッチを構成している。
【００２６】
共通接点１２１は、照明器具３００に電力線２１０を介して接続されており、共通接点４０１は、電源２００に電力線２１０を介して接続されている。また、スイッチ制御部１２０が有する２つの切替接点１２２とスイッチ４００が有する２つの切替接点４０２とは、それぞれ電力線２１０で接続されている。
【００２７】
スイッチ制御部１２０は、通知部１１０を介してインターネット５００に接続されており、住宅内のネットワークまたはインターネット５００を介して外部から入力される切替信号の入力により、切替接点１２２の接点を切り替えることができる。
またスイッチ４００は住宅に直接設置されたスイッチであり、ユーザなどが手動でスイッチ４００を切り替えることで照明器具３００の点灯または消灯を操作することができる。
【００２８】
通電確認部１３０は、スイッチ制御部１２０に接続され、電源制御装置１００、照明器具３００、およびスイッチ４００を含む回路が、通電しているか遮断しているかを判定するためのものである。判定は切替接点１２２に対して１００Ｖ電圧が印加されているか否か、または電流が流れているか否かを監視することで判定する。通電している場合は、照明器具３００は点灯状態であることを示しており、遮断されている場合は、照明器具３００は消灯状態であることを示している。
【００２９】
このように、スイッチ４００とスイッチ制御部１２０とが三路スイッチを構成し、スイッチ制御部１２０が外部から入力される切替信号に基づいて切替接点１２２を切り替えることで、遠隔地からのスイッチ制御部１２０を介して行う電源操作、および住宅に直接設置されたスイッチ４００で行う電源操作を可能とすることができる。
また通電確認部１３０が判定した照明器具３００の利用状況を通知部１１０が通知することで、外出先からでも照明器具３００の利用状況を確認することができる。
【００３０】
なお、図１では通知部１１０とインターネット５００との接続を通信線５１０を介して接続した状態を示したが、電源制御装置１００にインターネット５００と無線で通信を行える無線部を備えて、例えば無線ＬＡＮ（無線Local Area Network）を利用して外部機器と通信できるようにしてもよい。
【００３１】
また、本実施例では電気機器に照明器具３００を例にして示したが、例えばテレビ、エアコン、セキュリティカメラなどの他の電気機器を接続して電源制御を行うこともできる。なお、電源制御装置１００と電気機器との接続は、日本電気工業規格で定められたＨＡ端子などを介して接続することもできる。
【００３２】
図２は、スイッチ制御部とスイッチとで構成された三路スイッチの状態を示す図である。
図２（Ａ）に示すように、スイッチ制御部１２０とスイッチ４００とで構成された三路スイッチは、接続された状態なので照明器具３００は点灯する。
【００３３】
図２（Ｂ）は、図２（Ａ）の状態からスイッチ４００を操作して切替接点４０２を切り替えた状態を示している。
図２（Ｂ）に示すように、図２（Ａ）の状態からスイッチ４００を操作して切替接点４０２を切り替えたことで、スイッチ制御部１２０とスイッチ４００とで構成された三路スイッチは、切断された状態になるので照明器具３００は消灯する。
【００３４】
図２（Ｃ）は、図２（Ａ）の状態からスイッチ制御部１２０に外部から切替信号を入力して切替接点１２２を切り替えた状態を示している。
図２（Ｃ）に示すように、図２（Ａ）の状態からスイッチ制御部１２０に外部から切替信号を入力して切替接点１２２を切り替えたことで、スイッチ制御部１２０とスイッチ４００とで構成された三路スイッチは、切断された状態になるので照明器具３００は消灯する。
【００３５】
図２（Ｄ）は、図２（Ｃ）の状態からスイッチ４００を操作して切替接点４０２を切り替えた状態、または図２（Ｂ）の状態からスイッチ制御部１２０に外部から切替信号を入力して切替接点１２２を切り替えた状態を示している。
【００３６】
図２（Ｄ）に示すように、図２（Ｃ）の状態からスイッチ４００を操作して切替接点４０２を切り替えたこと、または図２（Ｂ）の状態からスイッチ制御部１２０に外部から切替信号を入力して切替接点１２２を切り替えたで、スイッチ制御部１２０とスイッチ４００とで構成された三路スイッチは、接続された状態になるので照明器具３００は点灯する。
【００３７】
このように、外部から切替信号を入力して切替接点１２２を切り替える、またはスイッチ４００を操作して切替接点４０２を切り替えることで、照明器具３００を点灯または消灯させることができる。
【００３８】
ここで、例えば図２（Ａ）の状態で電源制御装置１００が故障して動かなくなった場合を想定する。電源制御装置１００は動かないので、外部から切替信号を入力しても切替接点１２２を切り替えることができない。ところがスイッチ４００を操作して切替接点４０２を切り替えることで図２（Ａ）の状態から図２（Ｂ）の状態にすることができる。
【００３９】
このように従来のように中央で一括して電源制御を行うシステムの場合、電源制御装置１００が故障するとすべての電源制御が行えなかったが、本発明の電源制御装置１００は、たとえ電源制御装置１００が故障して動かなくなったとしても、手元のスイッチ４００を操作することで照明器具３００を点灯または消灯させることができる。
【００４０】
図３は、通知部の詳細を示す図である。
図３に示すように、通知部１１０は、情報取得部１１１、出力部１１２、送信先記憶部１１３、および周期記憶部１１４を備えている。
【００４１】
電源制御装置１００は、ネットワーク上で電源制御装置１００に一意に割り当てられる機器識別情報であって、例えば物理アドレスであるＭＡＣ（Media Access Control）アドレス１４０を備えており、情報取得部１１１は、ＭＡＣアドレス１４０を取得する。
【００４２】
また住宅内等に構成されるＬＡＮ（Local Area Network）側とインターネット５００側に構成されるＷＡＮ（Wide Area Network）側との間にはルータ５２０が設置され、ルータ５２０にはグローバルＩＰ（Internet Protocol）アドレスが一意に割り当てられている。
【００４３】
また情報取得部１１１は、通電確認部１３０が電源制御装置１００、照明器具３００、およびスイッチ４００を含む回路が、通電しているか遮断しているかを判定した通電状況の情報を取得する。
【００４４】
出力部１１２は、情報取得部１１１が取得した情報であるＭＡＣアドレス１４０、および通電状況の情報を含んだパケットを、接続された通信線５１０を介してインターネット５００側に出力する。出力は、出力部１１２に接続された送信先記憶部１１３および周期記憶部１１４に記憶された情報に基づいて出力される。
【００４５】
この出力部１１２が出力するＭＡＣアドレス１４０、および通電状況の情報を含んだパケットは、ルータ５２０を介して送信先に送信されることで、ルータ５２０のグローバルＩＰを含んだパケットが送信される。これによりルータのグローバルＩＰを送信先に通知することができる。
【００４６】
送信先記憶部１１３は、出力部１１２が出力する情報の出力先の情報が記憶されている。具体的には、情報を通知する情報を収集するサーバのアドレス情報や、出力される情報を収集する端末のメールアドレスなどが記憶される。出力部１１２は、この送信先記憶部１１３に記憶されたサーバのアドレス情報やメールアドレスなど対して情報を出力する。
【００４７】
周期記憶部１１４は、出力部１１２が出力する周期が記憶されている。通知される情報のうち、通電状況の情報は照明器具３００の利用状況によって時々刻々と変化する。またグローバルＩＰアドレスもルータ５２０とインターネット５００との接続状態によって変化することが考えられる。これを定期的に通知することで、時々刻々と変化する状態を通知先に通知することができる。具体的には、周期記憶部１１４に記憶される周期が５分としたとき、出力部１１２は５分ごとに情報を通知する。
【００４８】
なお、出力部１１２は、周期記憶部１１４に記憶された周期に従って出力するだけでなく、外部からの出力指示信号を受信することで、情報取得部１１１が各情報を取得し、出力部１１２が取得した各情報を出力することもできる。
【００４９】
また、出力部１１２は、通電確認部１３０が判定する通電または遮断の通電状況が変化したときに、情報取得部１１１が各情報を取得し、出力部１１２が取得した各情報を出力することもできる。
【００５０】
図４は、電源制御装置を利用したシステム全体を示す図である。
図４に示すように、住居内には図示しない電気機器が接続された複数の電源制御装置１００が備えられている。電源制御装置１００には、個別に機器を識別できるＭＡＣアドレス１４０が割り振られている。
また複数の電源制御装置１００はルータ５２０を介してインターネット５００に接続されている。またルータ５２０にはグローバルＩＰアドレスが一意に割り振られている。
【００５１】
インターネット５００には電源制御装置１００が情報を通知する通知先に指定されたサーバ６００が接続されている。またインターネット５００には、様々な接続先で利用されるルータ５２１〜５２４が接続されグローバルＩＰアドレスが一意に割り振られている。
またインターネット５００には、サーバ６００にアクセス可能な携帯端末７００や端末機器７０１が接続されている。
【００５２】
各電源制御装置１００は、指定された周期でサーバ６００に対して、ＭＡＣアドレス１４０、グローバルＩＰアドレス、電気機器の利用状況の情報を送信する。サーバ６００に蓄積された情報は、携帯端末７００や端末機器７０１を利用して閲覧することができる。
【００５３】
またサーバ６００に蓄積された情報により、最新のグローバルＩＰアドレスがわかるので、住居のグローバルＩＰアドレスおよびＭＡＣアドレス１４０を利用して、所望の電気機器に対して接点切替信号を出力することができる。詳しくは後述する。
【００５４】
図５は、サーバに蓄積された利用状況データの構造例を示す図である。
図５に示すように、利用状況データには、時間、グローバルＩＰアドレス、状態、ＭＡＣアドレスの各欄が設けられている。時間欄には、通知部１１０が情報を出力した時間が記録されている。通知部１１０が情報を出力した時間は、周期記憶部１１４に記憶された周期によって出力部１１２が送信先記憶部１１３に記載された送信先に出力した時間であり、周期記憶部１１４に記憶された周期で定期的に出力されるものである。
【００５５】
グローバルＩＰアドレスは、出力部１１２がＭＡＣアドレス１４０、および通電状況の情報を含んだパケットを送信したときにルータ５２０に割り振られているグローバルＩＰアドレスであり、取得した時間によって変化する可能性のある値である。
【００５６】
状態は、情報取得部１１１が通電確認部１３０より取得したときに、電源制御装置１００、照明器具３００、およびスイッチ４００を含む回路が、通電しているか遮断しているかを判定した結果が記録されたものである。
【００５７】
ＭＡＣアドレス１４０は、ネットワーク上で電源制御装置１００に一意に割り当てられた機器識別情報である、例えば物理アドレスであるＭＡＣアドレス１４０を、情報取得部１１１が取得した情報である。
【００５８】
図５の表を考察すると、時間欄には「１０：００」、「１０：０５」、「１０：１０」と情報が蓄積されているので、５分毎に情報が送信されていることがわかる。
またグローバルＩＰアドレス欄を見ると、「１０：００」時点でのグローバルＩＰアドレスは「ｘｘｘ．ｘｘｘ．ｘｘｘ．１１１」であり、「１０：０５」時点でのグローバルＩＰアドレスは「ｘｘｘ．ｘｘｘ．ｘｘｘ．３３３」と変化していることがわかる。これは「１０：００」と「１０：０５」との間で、何らかの理由でグローバルＩＰアドレスが入れ替わったことを示している。
【００５９】
また「１０：００」時点でのＭＡＣアドレス「ＡＡ：ＡＡ：ＡＡ：ＡＡ：ＡＡ：ＡＡ」の電源制御装置１００に接続された電気機器は、状態の欄を確認すると「ＯＮ」であり、電気機器が使用されていたことがわかる。また「１０：０５」時点でのＭＡＣアドレス「ＡＡ：ＡＡ：ＡＡ：ＡＡ：ＡＡ：ＡＡ」の電源制御装置１００に接続された電気機器は、状態の欄を確認すると「ＯＮ」であり、電気機器が使用されていたことがわかる。
【００６０】
また「１０：００」時点でのＭＡＣアドレス「ＣＣ：ＣＣ：ＣＣ：ＣＣ：ＣＣ：ＣＣ」の電源制御装置１００に接続された電気機器は、状態の欄を確認すると「ＯＦＦ」であり、電気機器が使用されていなかったことがわかる。また「１０：０５」時点でのＭＣＣアドレス「ＣＣ：ＣＣ：ＣＣ：ＣＣ：ＣＣ：ＣＣ」の電源制御装置１００に接続された電気機器は、状態の欄を確認すると「ＯＮ」であり、電気機器が使用されていたことがわかる。つまり「１０：００」から「１０：０５」の間で電気機器が使用開始されてことがわかる。
【００６１】
このように、周期的に送信された情報から、その時点での電気機器の利用状況がわかる。このような利用状況データを利用してグラフなどに表すことで視覚的に電気機器の利用状況を把握することができる。
【００６２】
また、周期的または通電状況が変化したときにグローバルＩＰアドレス、状態、ＭＡＣアドレス１４０が送信されるので、最新の状態や割り振られたグローバルＩＰアドレスを把握することができる。これにより、電源制御装置１００に接続するための最新のグローバルＩＰアドレスを知ることができ、ユーザは電源制御装置１００に対して接点切替信号を出力することができる。
【００６３】
図６は、サーバの詳細を示す図である。
図６に示すように、サーバ６００は、利用状況データ記憶部６１０、および切替信号出力部６２０を備えている。
【００６４】
利用状況データ記憶部６１０は、図５で示した利用状況データを記憶するものである。
切替信号出力部６２０は、インターネット５００を介して接続された携帯端末７００や端末機器７０１からの指示により、電源制御装置１００に対して切替信号を出力するためのものである。
【００６５】
切替信号出力部６２０は、ユーザが利用する携帯端末７００や端末機器７０１から所望の電気機器に接続された電源制御装置１００に対して、例えば照明器具３００を消灯から点灯に切り替える指示を受信すると、利用状況データ記憶部６１０から最新のグローバルＩＰアドレスおよびＭＡＣアドレス１４０を抽出して、その電源制御装置１００が接続されたルータ５２０に割り振られたグローバルＩＰアドレスに接続して切替信号を出力する。これにより所望の電気機器が接続された電源制御装置１００の接点を切り替えることができる。
【００６６】
図７は、通電確認部が行う処理を示すフローチャートである。以下、図７に示す処理をステップ番号に沿って説明する。
〔ステップＳ１１〕通電確認部１３０は、情報取得指示を受信する。具体的には、情報取得部１１１が通電確認部１３０に通電確認の指示を行い、その信号を通電確認部１３０は受信する。
【００６７】
〔ステップＳ１２〕通電確認部１３０は、電圧または電流の確認を行う。具体的には、通電確認部１３０は、スイッチ制御部１２０に接続され、電源制御装置１００、照明器具３００、およびスイッチ４００を含む回路に、電圧の測定または電流の測定を行う。
【００６８】
〔ステップＳ１３〕通電確認部１３０は、電圧印加の有無、または電流の有無を判断する。具体的には、通電確認部１３０は、スイッチ制御部１２０に接続され、電源制御装置１００、照明器具３００、およびスイッチ４００を含む回路に、電圧の測定または電流の測定を行った結果、その回路に電圧が印加されているか否か、または電流が流れているか否かを判断する。
【００６９】
電圧が印加されている、または電流が流れていると判断したときは、処理をステップＳ１４に進め、電圧が印加されていない、または電流が流れていないと判断したときは、処理をステップＳ１５に進める。
【００７０】
〔ステップＳ１４〕通電確認部１３０は、通電していることを情報取得部１１１に返す。具体的には、情報取得部１１１が通電状況を確認したときに、通電確認部１３０は電圧が印加されている、または電流が流れていると判断したことにより、回路が通電していることを情報取得部１１１に返す。
【００７１】
〔ステップＳ１５〕通電確認部１３０は、回路が遮断されていることを情報取得部１１１に返す。具体的には、情報取得部１１１が通電状況を確認したときに、通電確認部１３０は電圧が印加されていない、または電流が流れていないと判断したことにより、回路が遮断されていることを情報取得部１１１に返す。
【００７２】
図８は、通知部１１０が行う処理を示すフローチャートである。以下、図８に示す処理をステップ番号に沿って説明する。
〔ステップＳ２１〕出力部１１２は、出力周期の確認を行う。具体的には、出力部１１２が、周期記憶部１１４に記憶されている周期を読み取る。
【００７３】
〔ステップＳ２２〕出力部１１２は、現在が出力周期か判断する。具体的には、出力部１１２が現在時刻と周期記憶部１１４に記憶されている周期とを比較し、現在が出力周期かを判断する。
【００７４】
現在が出力周期であると判断した場合は、処理をステップＳ２３、ステップＳ２４、ステップＳ２５へ進め、現在が出力周期でないと判断した場合は、処理をステップＳ２１に進める。
【００７５】
〔ステップＳ２３〕情報取得部１１１は、ＭＡＣアドレス１４０の取得を行う。具体的には、情報取得部１１１が、ネットワーク上で電源制御装置１００に一意に割り当てられた機器識別情報である、例えば物理アドレスであるＭＡＣアドレス１４０を取得する。
【００７６】
〔ステップＳ２４〕情報取得部１１１は、通電状況の取得を行う。具体的には、通電確認部１３０が電源制御装置１００、照明器具３００、およびスイッチ４００を含む回路が、通電しているか遮断しているかを判定した通電状況の情報を取得する。
【００７７】
〔ステップＳ２５〕出力部１１２は、送信先の取得を行う。具体的には、出力部１１２は、送信先記憶部１１３に記憶されている送信先の情報であるサーバ６００のアドレスの取得を行う。
【００７８】
〔ステップＳ２６〕出力部１１２は、出力を行う。具体的には、出力部１１２は、情報取得部１１１が取得したＭＡＣアドレス１４０、および通電状況を、送信先記憶部１１３から取得した送信先に出力を行う。
【００７９】
図９は、切替信号出力部６２０が行う処理を示すフローチャートである。以下、図９に示す処理をステップ番号に沿って説明する。
〔ステップＳ３１〕切替信号出力部６２０は、外部から操作する電気機器が選択された信号を受信する。具体的には、携帯端末７００や端末機器７０１から、ユーザが接点切替を行いたい電気機器を選択された信号が切替信号出力部６２０に入力される。
【００８０】
〔ステップＳ３２〕切替信号出力部６２０は、最新のグローバルＩＰアドレスを取得する。具体的には、切替信号出力部６２０は、利用状況データ記憶部６１０に記憶された利用状況データからステップＳ３１で入力された電気機器に関する最新のグローバルＩＰアドレスを抽出することで、最新のグローバルＩＰアドレスを取得する。
【００８１】
〔ステップＳ３３〕切替信号出力部６２０は、切替信号を出力する。具体的には、ステップＳ３１で選択された電気機器に接続されたＭＡＣアドレス１４０と、ステップＳ３２で取得したグローバルＩＰアドレスに基づいた信号の出力先に対して、スイッチ制御部１２０が有する切替接点１２２を切り替える切替信号を出力する。
【００８２】
なお本実施例では、スイッチ制御部１２０およびスイッチ４００で三路スイッチを構成したが、スイッチ制御部１２０とスイッチ４００との間に四路スイッチを接続することで３カ所以上のスイッチで切換操作を行うこともできる。
【００８３】
〔第２の実施の形態〕
次に、本発明の第２の実施の形態について説明する。本実施の形態の電源制御装置は、三路スイッチを構成するスイッチを電源制御装置に含んでいること以外は、第１の実施の形態で示した構成とほぼ同様である。このため、上記第１の実施の形態とほぼ同様の構成部分については同一の符号を付すなどして適宜その説明を省略する。
【００８４】
図１０は、第２の実施例に係る電源制御装置が電源および照明器具に接続された状態を示す図である。
図１０に示すように、電源制御装置１００は住居等に設置される電気機器の電源制御を行うためのものであり、電源２００から電力線２１０を介して供給される電力で点灯する照明器具３００と、電源２００との間に接続され、照明器具３００への電源を制御するためのものである。
【００８５】
電源制御装置１００は、通知部１１０、スイッチ制御部１２０、通電確認部１３０、およびスイッチ１５０を備えている。
通知部１１０は、例えば外出先のユーザに電源制御装置１００に接続された照明器具３００の利用状況である照明器具３００の点灯または消灯などの情報を通知するためのものであり、インターネット５００に通信線５１０を介して接続されている。
【００８６】
スイッチ制御部１２０は、共通接点１２１および２つの切替接点１２２を備え、共通接点１５１および２つの切替接点１５２を備えたスイッチ１５０とともに三路スイッチを構成している。
【００８７】
共通接点１２１は、照明器具３００に電力線２１０を介して接続されており、共通接点４０１は、電源２００に電力線２１０を介して接続されている。また、スイッチ制御部１２０が有する２つの切替接点１２２とスイッチ１５０が有する切替接点１５２は、それぞれ電力線２１０で接続されている。
【００８８】
スイッチ制御部１２０は、通知部１１０を介してインターネット５００に接続されており、住宅内のネットワークまたはインターネット５００を介して外部から入力される切替信号の入力により、切替接点１２２の接点を切り替えることができる。
【００８９】
通電確認部１３０は、スイッチ制御部１２０に接続され、電源制御装置１００、照明器具３００、およびスイッチ４００を含む回路が、通電しているか遮断しているかを判定するためのものである。判定は切替接点１２２に対して１００Ｖ電圧が印加されているか否か、または電流が流れているか否かを監視することで判定する。通電している場合は、照明器具３００は点灯状態であることを示しており、遮断されている場合は、照明器具３００は消灯状態であることを示している。
【００９０】
なお本実施例では、スイッチ制御部１２０およびスイッチ１５０で三路スイッチを構成したが、スイッチ制御部１２０とスイッチ１５０との間に四路スイッチを接続することで３カ所以上のスイッチで切換操作を行うこともできる。
〔第３の実施の形態〕
次に、本発明の第３の実施の形態について説明する。本実施の形態の電源制御装置は、三路スイッチを構成するスイッチを電源制御装置に含んでいないこと以外は、第１の実施の形態で示した構成とほぼ同様である。このため、上記第１の実施の形態とほぼ同様の構成部分については同一の符号を付すなどして適宜その説明を省略する。
【００９１】
図１１は、第３の実施例に係る電源制御装置が電源および照明器具に接続された状態を示す図である。
図１１に示すように、電源制御装置１００は住居等に設置される電気機器の電源制御を行うためのものであり、電源２００から電力線２１０を介して供給される電力で点灯する照明器具３００と、電源２００との間に接続されたスイッチ４００よび４１０に接続され、照明器具３００への電源を制御するためのものである。
【００９２】
スイッチ４００が有する共通接点４０１は、電源２００に電力線２１０を介して接続されており、スイッチ４００が有する共通接点４１１は照明器具３００に接続されている。また照明器具３００は電源２００に接続され、スイッチ４００が有する２つの切替接点４０２とスイッチ４１０が有する２つの切替接点４１２は、それぞれ電力線２１０で接続されており、スイッチ４００とスイッチ４１０によって三路スイッチを構成している。
【００９３】
電源制御装置１００は、通知部１１０、スイッチ制御部１２０、通電確認部１３０、およびスイッチ１５０を備えている。
通知部１１０は、例えば外出先のユーザに電源制御装置１００に接続された照明器具３００の利用状況である照明器具３００の点灯または消灯などの情報を通知するためのものであり、インターネット５００に通信線５１０を介して接続されている。
【００９４】
スイッチ制御部１２０は、通知部１１０を介してインターネット５００に接続されており、住宅内のネットワークまたはインターネット５００を介して外部から入力される切替信号の入力により、切替接点４１２の接点を切り替えることができる。
【００９５】
通電確認部１３０は、スイッチ４１０に接続され、スイッチ４００、スイッチ４１０、および照明器具３００を含む回路が、通電しているか遮断しているかを判定するためのものである。判定は切替接点４１２に対して１００Ｖ電圧が印加されているか否か、または電流が流れているか否かを監視することで判定する。通電している場合は、照明器具３００は点灯状態であることを示しており、遮断されている場合は、照明器具３００は消灯状態であることを示している。
【００９６】
このように、スイッチ４００とスイッチ４１０とが三路スイッチを構成し、スイッチ制御部１２０が外部から入力される切替信号に基づいて切替接点４１２を切り替えることで、遠隔地からのスイッチ制御部１２０を介して行うスイッチ４１０の切替操作およびスイッチ４００で行う電源操作を可能とすることができる。
また、仮に電源制御装置１００に故障が発生した場合でも、スイッチ４１０からの電源制御に影響を及ぼすことなく接続された電気機器の電源制御を行うことができる。
【００９７】
また定期的に電源状態を通知することにより、電源状態を通知させるとともに、電源制御装置１００が接続されたルータ５２０に一意に割り振られたグローバルＩＰアドレスを通知することが可能となり、グローバルＩＰアドレスともに電源制御装置１００に備えられたＭＡＣアドレス１４０を通知することにより、サーバ６００は、ユーザからの要求により電源制御装置１００に対して電源制御信号である切替信号を入力させることができる。これにより、ルータは固定ＩＰアドレスを取得することなく外部から、所望の電気機器が接続された電源制御装置１００に対して電源制御信号である切替信号を入力させることができる。
【００９８】
また、このように接続される電気機器を遠隔から電源制御を行うことができるので、既存に設置された電気機器にも容易に設置することができる。これにより容易かつ安価で電源制御装置１００を導入することが可能となる。
【００９９】
なお本実施例では、スイッチ４００およびスイッチ４１０で三路スイッチを構成したが、スイッチ４００とスイッチ４１０との間に四路スイッチを接続することで３カ所以上のスイッチで切換操作を行うこともできる。
【符号の説明】
【０１００】
１、５１０  通信線
１０  ホームネットワークシステム
１１  中央制御装置
１２  フロアコントローラ
１３  電源コントローラ
２１  電動ブラインド
２２  照明
２３  エアコン
３０、２００  電源
３１  分電盤
１００  電源制御装置
１１０  通知部
１１１  情報取得部
１１２  出力部
１１３  送信先記憶部
１１４  周期記憶部
１２０  スイッチ制御部
１２１、１５１、４０１、４１１  共通接点
１２２、１５２、４０２、４１２  切替接点
１３０  通電確認部
１４０  ＭＡＣアドレス
１５０、４００、４１０  スイッチ
２１０  電力線
３００  照明器具
５００  インターネット
５２０、５２１、５２２、５２３、５２４  ルータ
６００  サーバ
６１０  利用状況データ記憶部
６２０  切替信号出力部
７００  携帯端末
７０１  端末機器
【図１】
2018137938.tif 000003
【図２】
2018137938.tif 000004
【図３】
2018137938.tif 000005
【図４】
2018137938.tif 000006
【図５】
2018137938.tif 000007
【図６】
2018137938.tif 000008
【図７】
2018137938.tif 000009
【図８】
2018137938.tif 000010
【図９】
2018137938.tif 000011
【図１０】
2018137938.tif 000012
【図１１】
2018137938.tif 000013
【図１２】
2018137938.tif 000014